(57)【要約】【課題】セキュリティを確保しつつ簡易に携帯端末から画像表示装置に画像データの取り込みを行う。【解決手段】撮像手段１２と、前記撮像手段で撮像された画像から顔を認識して、顔解析情報を生成する解析手段１０と、前記顔解析情報に基づいて指標を生成する指標生成手段１０と、前記撮像手段でユーザの顔を撮像して生成された、前記ユーザの顔、顔解析情報、前記ユーザの指標のうちの少なくとも1つをユーザ情報として記憶するユーザ情報記憶手段２４と、前記指標を表示する表示手段３６と、前記撮像手段で被写体を撮像して生成された撮像画像に含まれる前記被写体の顔、顔解析情報、前記被写体の指標の少なくとも1つと、前記ユーザの顔、顔解析情報、前記ユーザの指標との少なくとも１つとを照合して、前記撮像画像に前記ユーザ情報が含まれるか否かを判定する判定手段１０と、前記判定手段で前記撮像画像に前記ユーザ情報が含まれると判定されたときに、前記表示手段に前記指標の表示を許可する表示制御手段２６とを備える。【選択図】図１
2012088984.tif 000002
【特許請求の範囲】
【請求項１】
撮像手段と、
前記撮像手段で撮像された画像から顔を認識して、顔解析情報を生成する解析手段と、
前記顔解析情報に基づいて指標を生成する指標生成手段と、
前記撮像手段でユーザの顔を撮像して生成された、前記ユーザの顔、顔解析情報、前記ユーザの指標のうちの少なくとも1つをユーザ情報として記憶するユーザ情報記憶手段と、
前記指標を表示する表示手段と、
前記撮像手段で被写体を撮像して生成された撮像画像に含まれる前記被写体の顔、顔解析情報、前記被写体の指標の少なくとも1つと、前記ユーザの顔、顔解析情報、前記ユーザの指標との少なくとも１つとを照合して、前記撮像画像に前記ユーザ情報が含まれるか否かを判定する判定手段と、
前記判定手段で前記撮像画像に前記ユーザ情報が含まれると判定されたときに、前記表示手段に前記指標の表示を許可する表示制御手段と
を備えることを特徴とする携帯端末。
【請求項２】
前記画像表示装置におけるユーザ認証が完了した場合に、前記画像表示装置に対して前記画像データ記憶部に記憶されている前記画像データを送信する送信部を備えることを特徴とする請求項１記載の携帯端末。
【請求項３】
該携帯端末の姿勢を検出する検出部を備え、
前記指標作成部は、前記検出部における検出結果に基づいて前記画像表示装置において表示されている画像の制御を行うための画像制御情報を含む制御指標を作成し、
前記表示制御部は、前記表示部に前記制御指標を表示することを特徴とする請求項１または２記載の携帯端末。
【請求項４】
前記指標は、前記画像データが記憶されているネットワーク上のサーバのＵＲＬ情報を含むことを特徴とする請求項１〜３の何れか一項に記載の携帯端末。
【請求項５】
前記送信部は、無線通信部であることを特徴とする請求項１〜４の何れか一項に記載の携帯端末。
【請求項６】
画像を表示する表示手段と、
撮像手段と、
携帯端末から画像データを受信する受信手段と、
前記撮像手段で撮像された画像から顔を認識して、顔解析情報を生成する解析手段と、
前記撮像手段で撮像された画像から顔解析情報を含む指標を認識して、前記指標から顔解析情報を読み取る指標解析手段と、
前記撮像手段により撮像された、顔と前記顔解析情報を含む指標を同一画角内に収めた被写体の撮像画像に基づき、前記解析手段で生成された前記顔解析情報と前記指標解析手段で読み取られた前記顔解析情報とが同じであるか否かを判定する判定手段と、
前記判定手段により前記解析手段で生成された前記顔解析情報と前記指標解析手段で読み取られた前記顔解析情報とが同じであると判定されたときに、前記受信手段に画像データの受信を許可する受信制御手段と
を備えることを特徴とする画像表示装置。
【請求項７】
前記撮像手段でユーザの顔を撮像して生成された、前記ユーザの顔、顔解析情報、前記ユーザの指標のうちの少なくとも1つをユーザ情報として記憶するユーザ情報記憶手段を備え、
前記判定手段は、前記撮像手段で被写体を撮像して生成された前記被写体の顔、顔解析情報、前記被写体の指標の少なくとも1つと、前記ユーザの顔、顔解析情報、前記ユーザの指標との少なくとも１つとを照合して、前記撮像画像に前記ユーザ情報が含まれるか否かを判定し、
前記受信制御手段は、前記判定手段が前記撮像画像に前記ユーザ情報が含まれると判定したときに、前記受信手段に画像データの受信を許可することを特徴とする請求項６記載の画像表示装置。
【請求項８】
前記表示部に表示されている前記携帯端末の表示部の位置及び形状に合わせて前記受信部を介して受信した前記画像データに基づく画像の変形を行う画像変形部を備え、
前記表示制御部は、前記画像変形部により変形した画像を前記表示部に表示されている前記携帯端末の表示部上に重畳表示することを特徴とする請求項６または７記載の画像表示装置。
【請求項９】
前記撮像部により、前記携帯端末の表示部に表示されている画像制御情報を含む制御指標を撮像した場合には、前記制御指標に含まれる画像制御情報に基づいて、前記表示部に表示されている画像の制御を行う画像制御部を備えることを特徴とする請求項６〜８の何れか一項に記載の画像表示装置。
【請求項１０】
前記指標に前記画像データが記憶されているネットワーク上のサーバのＵＲＬ情報が含まれている場合には、前記受信部は、前記ＵＲＬ情報により示される前記サーバから前記画像データを受信することを特徴とする請求項６〜９の何れか一項に記載の画像表示装置。
【請求項１１】
前記受信部は、無線通信部であることを特徴とする請求項６〜１０の何れか一項に記載の画像表示装置。
【請求項１２】
携帯端末と画像表示装置を備える画像表示システムであって、
前記携帯端末は、第１撮像手段と、
前記撮像手段で撮像された画像から顔を認識して、顔解析情報を生成する第１解析手段と、
前記顔解析情報に基づいて指標を生成する指標生成手段と、
前記撮像手段でユーザの顔を撮像して生成された、前記ユーザの顔、顔解析情報、前記ユーザの指標のうちの少なくとも1つをユーザ情報として記憶する第１ユーザ情報記憶手段と、
前記指標を表示する第１表示手段と、
前記撮像手段で被写体を撮像して生成された撮像画像に含まれる前記被写体の顔、顔解析情報、前記被写体の指標の少なくとも1つと、前記ユーザの顔、顔解析情報、前記ユーザの指標との少なくとも１つとを照合して、前記撮像画像に前記ユーザ情報が含まれるか否かを判定する第１判定手段と、
前記判定手段で前記撮像画像に前記ユーザ情報が含まれると判定されたときに、前記表示手段に前記指標の表示を許可する表示制御手段と
を備え、
前記画像表示装置は、
画像を表示する第２表示手段と、
第２撮像手段と、
前記携帯端末から画像データを受信する受信手段と、
前記撮像手段で撮像された画像から顔を認識して、顔解析情報を生成する第２解析手段と、
前記撮像手段で撮像された画像から顔解析情報を含む指標を認識して、前記指標から顔解析情報を読み取る指標解析手段と、
前記撮像手段により撮像された、顔と前記顔解析情報を含む指標を同一画角内に収めた被写体の撮像画像に基づき、前記解析手段で生成された前記顔解析情報と前記指標解析手段で読み取られた前記顔解析情報とが同じであるか否かを判定する第２判定手段と、
前記判定手段により前記解析手段で生成された前記顔解析情報と前記指標解析手段で読み取られた前記顔解析情報とが同じであると判定されたときに、前記携帯端末から前記受信手段に画像データの受信を許可する受信制御手段と
を備えることを特徴とする画像表示システム。
【発明の詳細な説明】
【技術分野】
【０００１】
本発明は、携帯端末、画像表示装置、及び該携帯端末と該画像表示装置を備える画像表示システムに関するものである。
【背景技術】
【０００２】
従来、デジタルカメラで撮影した画像を表示し鑑賞することが可能なデジタルフォトフレーム（以下、ＤＰＦという。）が存在する。デジタルカメラで撮影した画像をＤＰＦにおいて表示する場合には、ＤＰＦはメモリカード、有線接続または無線通信によりデジタルカメラから画像データを取り込む必要がある（例えば、特許文献１参照）。
【先行技術文献】
【特許文献】
【０００３】
【特許文献１】特開２０１０−２２４７１５号公報
【発明の概要】
【発明が解決しようとする課題】
【０００４】
しかしながら、従来のデジタルカメラからＤＰＦへの画像データの取り込みには手間がかかり、また不特定の者がデジタルカメラからＤＰＦへの画像データの取り込みを行うことができるためセキュリティの確保が困難であった。
【０００５】
本発明の目的は、セキュリティを確保しつつ簡易に携帯端末から画像表示装置に画像データの取り込みを行うことができる携帯端末、画像表示装置、及び該携帯端末と該画像表示装置を備える画像表示システムを提供することである。
【課題を解決するための手段】
【０００６】
本発明の携帯端末は、撮像手段と、前記撮像手段で撮像された画像から顔を認識して、顔解析情報を生成する解析手段と、前記顔解析情報に基づいて指標を生成する指標生成手段と、前記撮像手段でユーザの顔を撮像して生成された、前記ユーザの顔、顔解析情報、前記ユーザの指標のうちの少なくとも1つをユーザ情報として記憶するユーザ情報記憶手段と、前記指標を表示する表示手段と、前記撮像手段で被写体を撮像して生成された撮像画像に含まれる前記被写体の顔、顔解析情報、前記被写体の指標の少なくとも1つと、前記ユーザの顔、顔解析情報、前記ユーザの指標との少なくとも１つとを照合して、前記撮像画像に前記ユーザ情報が含まれるか否かを判定する判定手段と、前記判定手段で前記撮像画像に前記ユーザ情報が含まれると判定されたときに、前記表示手段に前記指標の表示を許可する表示制御手段とを備えることを特徴とする。
【０００７】
また、本発明の画像表示装置は、画像を表示する表示手段と、撮像手段と、携帯端末から画像データを受信する受信手段と、前記撮像手段で撮像された画像から顔を認識して、顔解析情報を生成する解析手段と、前記撮像手段で撮像された画像から顔解析情報を含む指標を認識して、前記指標から顔解析情報を読み取る指標解析手段と、前記撮像手段により撮像された、顔と前記顔解析情報を含む指標を同一画角内に収めた被写体の撮像画像に基づき、前記解析手段で生成された前記顔解析情報と前記指標解析手段で読み取られた前記顔解析情報とが同じであるか否かを判定する判定手段と、前記判定手段により前記解析手段で生成された前記顔解析情報と前記指標解析手段で読み取られた前記顔解析情報とが同じであると判定されたときに、前記受信手段に画像データの受信を許可する受信制御手段とを備えることを特徴とする。
【０００８】
また、本発明の画像表示システムは、携帯端末と画像表示装置を備える画像表示システムであって、前記携帯端末は、第１撮像手段と、前記撮像手段で撮像された画像から顔を認識して、顔解析情報を生成する第１解析手段と、前記顔解析情報に基づいて指標を生成する指標生成手段と、前記撮像手段でユーザの顔を撮像して生成された、前記ユーザの顔、顔解析情報、前記ユーザの指標のうちの少なくとも1つをユーザ情報として記憶する第１ユーザ情報記憶手段と、前記指標を表示する第１表示手段と、前記撮像手段で被写体を撮像して生成された撮像画像に含まれる前記被写体の顔、顔解析情報、前記被写体の指標の少なくとも1つと、前記ユーザの顔、顔解析情報、前記ユーザの指標との少なくとも１つとを照合して、前記撮像画像に前記ユーザ情報が含まれるか否かを判定する第１判定手段と、前記判定手段で前記撮像画像に前記ユーザ情報が含まれると判定されたときに、前記表示手段に前記指標の表示を許可する表示制御手段とを備え、前記画像表示装置は、画像を表示する第２表示手段と、第２撮像手段と、前記携帯端末から画像データを受信する受信手段と、前記撮像手段で撮像された画像から顔を認識して、顔解析情報を生成する第２解析手段と、前記撮像手段で撮像された画像から顔解析情報を含む指標を認識して、前記指標から顔解析情報を読み取る指標解析手段と、前記撮像手段により撮像された、顔と前記顔解析情報を含む指標を同一画角内に収めた被写体の撮像画像に基づき、前記解析手段で生成された前記顔解析情報と前記指標解析手段で読み取られた前記顔解析情報とが同じであるか否かを判定する第２判定手段と、前記判定手段により前記解析手段で生成された前記顔解析情報と前記指標解析手段で読み取られた前記顔解析情報とが同じであると判定されたときに、前記携帯端末から前記受信手段に画像データの受信を許可する受信制御手段とを備えることを特徴とする。
【発明の効果】
【０００９】
本発明によれば、セキュリティを確保しつつ簡易に携帯端末から画像表示装置に画像データの取り込みを行うことができる。
【図面の簡単な説明】
【００１０】
【図１】実施の形態に係る画像表示システムの構成を示すブロック図である。
【図２】実施の形態に係る画像表示システムにおける携帯端末から画像表示装置に対する画像データの送信処理を示すフローチャートである。
【図３】実施の形態に係る画像表示システムにおける携帯端末から画像表示装置に対する画像データの送信の状態を示す図である。
【図４】実施の形態に係る画像表示システムにおける携帯端末から画像表示装置に対する画像データの送信の状態を示す図である。
【発明を実施するための形態】
【００１１】
以下、図面を参照して、本発明の実施の形態に係る画像表示システムについて説明する。図１は実施の形態に係る画像表示システムのシステム構成を示すブロック図である。図１に示すように画像表示システム１は、携帯端末として機能するデジタルカメラ２と画像表示装置として機能するＤＰＦ４を備えている。
【００１２】
デジタルカメラ２は、マイクロプロセッサ等により構成されデジタルカメラ２の各部を統括的に制御するＣＰＵ１０を備えている。ＣＰＵ１０には、撮像部１２、電源コントローラ１４、カードコントローラ１６、ジャイロセンサ１８、ＷｉＦｉドライバ２０、Ｉ／Ｆドライバ２２、メモリ２４及びＬＣＤドライバ２６が接続されている。
【００１３】
撮像部１２は、ＣＣＤ、ＣＭＯＳ等により構成される撮像素子を有し、撮影レンズ（図示せず）を介した被写体からの光を撮像しＣＰＵ１０に対して撮像信号を出力する。電源コントローラ１４は、バッテリ２８からＣＰＵ１０に対する電力の供給の制御を行なう。カードコントローラ１６は、カードスロット３０に装着されたＳＤカード、ＣＦカード等３１に対するデータの書き込み及び読み出しの制御を行なう。ジャイロセンサ１８は、デジタルカメラ２の姿勢の検出を行い検出結果をＣＰＵ１０に対して出力する。
【００１４】
ＷｉＦｉドライバ２０は、ＷｉＦｉ送受信部３２を制御し、ＤＰＦ４との間におけるデータ通信を行なう。Ｉ／Ｆドライバ２２は、電源スイッチ、レリーズボタン等を備える操作スイッチ３４の操作状態を検出してＣＰＵ１０に対して出力する。メモリ２４は、撮像部１２から出力された撮像信号に基づく画像データ等を記憶する。ＬＣＤドライバ２６は、デジタルカメラ２の背面に配置されるＬＣＤパネルを備えるディスプレイ３６の表示制御を行なう。
【００１５】
ＤＰＦ４は、マイクロプロセッサ等により構成されＤＰＦ４の各部を統括的に制御するＣＰＵ４０を備えている。ＣＰＵ４０には、撮像部４２、ＵＳＢコントローラ４４、カードコントローラ４６、電源コントローラ４８、Ｉ／Ｆドライバ５０、メモリ５２、ＬＣＤドライバ５４及びＷｉＦｉドライバ５６が接続されている。
【００１６】
撮像部４２は、ＣＣＤ、ＣＭＯＳ等により構成される撮像素子を有し、撮影レンズ（図示せず）を介した被写体からの光を撮像しＣＰＵ４０に対して撮像信号を出力する。ＵＳＢコントローラ４４は、ＵＳＢコネクタ５８を介して接続されるＰＣ（パーソナルコンピュータ）等６０との間のデータ通信の制御を行なう。カードコントローラ４６は、カードスロット６２に装着されたＳＤカード、ＣＦカード等６４に対するデータの書き込み及び読み出しの制御を行なう。電源コントローラ４８は、バッテリ６６及びＡＣ電源６８からＣＰＵ４０に対する電力の供給の制御を行なう。
【００１７】
Ｉ／Ｆドライバ５０は、電源スイッチ等を備える操作スイッチ７０の操作状態を検出してＣＰＵ４０に対して出力する。メモリ５２は、撮像部４２から出力された撮像信号に基づく画像データ等を記憶する。ＬＣＤドライバ５４は、ディスプレイ７２の表示制御を行なう。ＷｉＦｉドライバ５６は、ＷｉＦｉ送受信部７４を制御し、デジタルカメラ２との間におけるデータ通信を行なう。
【００１８】
次に、図２に示すフローチャートを参照して、本発明の実施の形態に係る画像表示システム１におけるデジタルカメラ２からＤＰＦ４に対する画像データの送信処理について説明する。まず、デジタルカメラ２のユーザは、デジタルカメラ２が自身の所有物であることをデジタルカメラ２に登録するために自身の顔にデジタルカメラ２を向けた状態で撮像を行う。ＣＰＵ１０は、顔認識解析により撮像部１２から出力された画像データに基づいて、画像データの中に存在するユーザの顔を解析し、解析されたユーザの顔及び解析結果の情報である顔解析情報をメモリ２４に記憶する。また、撮像部１２から出力された画像データに基づいて、ユーザの顔認識情報を含む所定の画像パターンにより構成される指標（マーカー）を作成し、作成された指標のデータをメモリ２４に記憶する。ここで、ユーザの顔、顔解析情報及び指標のデータはユーザ情報としてメモリ２４に記憶される。
【００１９】
デジタルカメラ２の使用を行う使用者はデジタルカメラ２をフォトフレーム連動モードに移行させるために操作スイッチ３４を操作する。ＣＰＵ１０は、操作スイッチ３４が操作されるとデジタルカメラ２をフォトフレーム連動モードに移行させる（ステップＳ１０）。そして、使用者は自身の顔にデジタルカメラ２を向けた状態で撮像を行う。ＣＰＵ１０は、撮像部１２から出力された画像データに基づいて顔認識解析により画像データの中に存在する顔を解析しユーザ情報（ユーザの顔、顔解析情報及び指標のデータ）を取得し、取得されたユーザ情報とメモリ２４に記憶されているユーザ情報とを照合する。照合の結果、撮像部１２からの画像データの中にメモリ２４に記憶されているユーザ情報が少なくとも１つ含まれている場合には、画像データの中に存在する人がユーザとして登録されている人物であると判定する。使用者が登録されているユーザであると判定された場合にＣＰＵ１０は、ＷｉＦｉ送受信部３２によりデジタルカメラ２の至近に存在するＤＰＦ４に対して無線通信を確立するための信号の送信を行い、デジタルカメラ２の至近に存在するＤＰＦ４から返信される信号をＷｉＦｉ送受信部３２により受信することにより、ＤＰＦ４との間で相互通信のための認証を行い無線通信を確立する（ステップＳ１１）。ＣＰＵ１０は、デジタルカメラ２の至近に存在するＤＰＦ４との間で相互通信が確立できた場合には（ステップＳ１２、Ｙｅｓ）、ＤＰＦ４をデジタルカメラ２と連動させるための連動情報をＤＰＦ４に送信する（ステップＳ１３）。また、メモリ２４に記憶されている指標のデータに基づくマーカーをディスプレイ３６に表示する（ステップＳ１４）。
【００２０】
ＤＰＦ４のＣＰＵ４０は、ＷｉＦｉ送受信部７４を介しデジタルカメラ２から連動情報を受信すると（ステップＳ３０）、ＤＰＦ４を連動モードに移行させる（ステップＳ３１）。そして、ＣＰＵ４０は、撮像部４２により所定のフレームレートで被写体の撮像を開始し、撮影部４２から出力された撮影信号に基づくスルー画像をディスプレイ７２に表示する（ステップＳ３２）。ここで、撮像部４２により撮像されたスルー画像の画像データは一時的にメモリ５２に記憶される。
【００２１】
例えば、図３に示すように、ＤＰＦ４の撮像部４２の撮像画角内に、デジタルカメラ２を保持している人の顔とデジタルカメラ２の背面に配置されているディスプレイ３６が収まっている場合には、ディスプレイ７２にはデジタルカメラ２を保持している人の顔とデジタルカメラ２のディスプレイ３６を含むスルー画像が表示される。この場合ＣＰＵ４０は、メモリ５２に一時的に記憶された画像データの中からマーカー８０を検出し（ステップＳ３３、Ｙｅｓ）、検出されたマーカー８０から人の顔の情報（顔認識情報）を読み取る（ステップＳ３４）。また、顔認識解析によりスルー画像の画角内に存在する人の顔を解析する（ステップＳ３５）。
【００２２】
そして、検出されたマーカーに基づく顔認識情報（ユーザとして登録されている顔の情報）と顔認識解析による解析結果とを照合し（ステップＳ３６）、解析された人の顔がユーザとして登録されている人物であると判別した場合には（ステップＳ３７、Ｙｅｓ）、ＷｉＦｉ送受信部７４を介してデジタルカメラ２に対してメモリ２４に記憶されている画像データ一式の送信を要求する信号を送信する（ステップＳ３８）。デジタルカメラ２のＣＰＵ１０はＷｉＦｉ送受信部３２を介して、ＤＰＦ４から画像データ一式の送信を要求する信号を受信すると（ステップＳ１５）、メモリ２４に記憶されている画像データ一式をＤＰＦ４へ送信する（ステップＳ１６）。
【００２３】
ＤＰＦ４のＣＰＵ４０は、ＷｉＦｉ送受信部７４を介してデジタルカメラ２から画像データ一式を受信し（ステップＳ３９）、メモリ５２に記憶する。また、ステップＳ３３において検出されたマーカーの位置と形状に基づいて、メモリ５２に記憶されている画像データの中の１番目に記憶されている画像データをアフィン変換し、画像全体の形状を所定の形状に変形する（ステップＳ４０）。即ち、図４に示すディスプレイ７２に表示されている画像におけるデジタルカメラ２のディスプレイ３６上に画像を合成・重畳表示するために画像データをアフィン変換する。そして、ディスプレイ７２に表示されている画像におけるデジタルカメラ２のディスプレイ３６に表示されているマーカー８０上にアフィン変換された画像データに基づく画像８２を合成・重畳表示する（ステップＳ４１）。なお、ステップＳ３９において、ＤＰＦ４のＣＰＵ４０は、撮像部４２からの画像データに基づいて、デジタルカメラ２を保持している人の顔、顔解析情報及び指標のデータを取得し、取得された顔、顔解析情報及び指標のデータとメモリ５２に予め記憶されているデジタルカメラ２のユーザのユーザ情報（ユーザの顔、顔解析情報及び指標のデータ）とを照合してもよい。なお、デジタルカメラ２のユーザのユーザ情報は、予めデジタルカメラ２から無線通信等により取得してメモリ５２に記憶しておく。この場合には、ＤＰＦ４のＣＰＵ４０は、撮像部４２からの画像データの中にメモリ５２に予め記憶されているユーザ情報が少なくとも１つ含まれていると、デジタルカメラ２から画像データ一式を受信することを許可する。
【００２４】
デジタルカメラ２のＣＰＵ１０は、操作者により操作スイッチ３４が操作された、またはジャイロセンサ１８によりデジタルカメラ２の姿勢が所定の角度傾いたことが検出された場合には（ステップＳ１７、Ｙｅｓ）、操作スイッチ３４の操作またはデジタルカメラ２の姿勢に基づいてディスプレイ３６に表示しているマーカー８０を、ディスプレイ７２に合成・重畳表示されている画像８２の表示を制御するための所定の表示に切り替える（ステップＳ１８）。即ち、ＣＰＵ１０は、画像の拡大を指示するための操作スイッチ３４の操作またはジャイロセンサ１８によるデジタルカメラ２の姿勢の変更の検出が行われた場合には、ディスプレイ７２に合成・重畳表示されている画像８２の拡大を指示する制御指標を作成して、ディスプレイ３６に表示する。
【００２５】
ＤＰＦ４のＣＰＵ４０は、メモリ５２に一時的に記憶された画像データの中から画像８２の拡大を指示する制御指標を検出すると（ステップＳ４２、Ｙｅｓ）、ディスプレイ７２に合成・重畳表示されている画像８２を拡大する処理を行う（ステップＳ４３）。ここで、デジタルカメラ２のＣＰＵ１０は、画像８２の拡大を指示する制御指標以外にも、操作スイッチ３４の操作またはジャイロセンサ１８により検出されたデジタルカメラ２の姿勢に基づいて、画像８２の縮小、回転、次の画像に送る、前の画像に戻る等を指示する制御指標を作成することができる。
【００２６】
例えば、操作スイッチ３４の操作またはジャイロセンサ１８によるデジタルカメラ２の姿勢の変更により、ＤＰＦ４のディスプレイ７２に合成・重畳表示されている画像８２を次の画像に送ることを指示する制御指標が作成されディスプレイ３６に表示された場合には、ＤＰＦ４のＣＰＵ４０は、メモリ５２に一時的に記憶された画像データの中から画像８２を次の画像に送ることを指示する制御指標を検出すると、ディスプレイ７２に合成・重畳表示されている画像８２を次の画像に送る処理を行う。即ち、メモリ５２に記憶されている画像データの中の２番目に記憶されている画像データをアフィン変換し、アフィン変換された画像データに基づく画像を画像８２に代えてディスプレイ７２に表示する。
【００２７】
本発明の実施の形態に係る画像表示システムによれば、ＤＰＦは、ＤＰＦの撮像部による撮像画角内に収まっている人がデジタルカメラのユーザと判断した場合には、操作スイッチの操作を必要とせずにデジタルカメラから画像データを受信することができる。従って、セキュリティを確保しつつ簡易にデジタルカメラからＤＰＦに画像データの取り込みを行うことができる。また、ＤＰＦのディスプレイにスルー画像が表示されている状態で、ＤＰＦのディスプレイに表示されているマーカー上にデジタルカメラから受信した画像データに基づく画像が合成・重畳表示されるため、ユーザはあたかも手の中で画像を操作しているような仮想現実感を得ることができ、煩雑で敬遠されがちな画像データの転送作業を楽しむことができる。
【００２８】
なお、上述の実施の形態においては、ＤＰＦ４において、スルー画像に基づいてデジタルカメラ２のユーザとして登録された人物であるか否かを判別しているが、静止画像に基づいてデジタルカメラ２のユーザとして登録された人物であるか否かを判別するようにしてもよい。この場合には、ディスプレイ７２に表示されている静止画像におけるデジタルカメラ２のディスプレイ３６上に、デジタルカメラ２から受信した画像データに基づく画像が合成・重畳表示される。これにより、ユーザはデジタルカメラ２を常にＤＰＦ４に向けて構える必要が無く、操作姿勢の面では利便性が高いといえる。さらに、ＤＰＦ４のＣＰＵ４０に対する処理負荷が軽減され、処理能力が低いより安価なＣＰＵを採用しているＤＰＦでも実現可能である。
【００２９】
また、上述の実施の形態においては、デジタルカメラ２から受信した画像データに基づく画像を合成・重畳表示する位置を、ＤＰＦ４のディスプレイ７２に表示されているデジタルカメラ２のディスプレイ７２の位置としているが、合成・重畳表示する画像の位置をディスプレイ７２に表示されているスルー画像上の任意の場所、オブジェクト等の位置にしてもよい。例えば、ＤＰＦ４は、顔認識解析によりスルー画像の画角内に存在する人の顔の位置を特定した場合には、特定した顔周辺に自動配置した吹き出しの中に画像を合成・重畳表示してもよい。この場合には、ＤＰＦ４は、デジタルカメラ２のディスプレイ７２に表示されているマーカー８０を検出しなくても顔認識解析による解析を行い、デジタルカメラ２との無線通信によりデジタルカメラ２から画像データを受信し、受信した画像データに基づく画像を合成・重畳表示することができる。
【００３０】
また、上述の実施の形態においては、ＤＰＦ４は、デジタルカメラ２から画像データ一式を受信して、ＤＰＦ４のディスプレイ７２に表示されているマーカー８０上に受信した画像データに基づく画像８２を合成・重畳表示しているが、ＤＰＦ４のメモリ５２に予め記憶されている画像データに基づく画像を合成・重畳表示するようにしてもよい。
【００３１】
また、上述の実施の形態においては、デジタルカメラ２とＤＰＦ４は無線通信により直接画像データを送受信しているが、デジタルカメラ２がネットワーク上のサーバに画像データを記憶している場合には、ＤＰＦ４がサーバ上の画像データを取得するようにしてもよい。この場合には、デジタルカメラ２のＣＰＵ１０は、ユーザの顔認識情報と画像データが記憶されているネットワーク上のサーバのＵＲＬ情報とを含む指標を作成し、作成された指標に基づくマーカーをディスプレイ３６に表示する。ＤＰＦ４のＣＰＵ４０は、ディスプレイ３６に表示されているマーカーを検出すると、検出されたマーカーからＵＲＬ情報を読み取り、読み取ったＵＲＬ情報に基づいてネットワーク上のサーバに接続しサーバ上の画像データを取得する。
【００３２】
また、上述の実施の形態において、デジタルカメラ２が表示するマーカー８０には、他の機器や自然物のテクスチャと混同しない形状、色、コントラストの幾何学的なパターンを用いることが望ましい。
【００３３】
また、上述の実施の形態において、ＤＰＦ４と画像データの送受信やＤＰＦ４のディスプレイ７２に合成・重畳表示されている画像の表示を変更する処理を制御するデジタルカメラ２を専用の端末としているが、通信機能、表示用ディスプレイ及び十分な演算能力を備える汎用のデジタルカメラや携帯端末に、ＤＰＦ４との通信、画像データの送受信、画像データの選択操作等を実現するアプリケーションを導入したものをデジタルカメラ２に代えて用いてもよい。
【符号の説明】
【００３４】
１…画像表示システム、２…デジタルカメラ、４…ＤＰＦ、１０，４０…ＣＰＵ、１２，４２…撮像部、１８…ジャイロセンサ、２６，５４…ＬＣＤドライバ、３２，７４…ＷｉＦｉ送受信部、３４，７０…操作スイッチ、３６，７２…ディスプレイ。
【図１】
2012088984.tif 000003
【図２】
2012088984.tif 000004
【図３】
2012088984.tif 000005
【図４】
2012088984.tif 000006